(57)【要約】【課題】打栓時における縦スコアの破断を防止するとともに、分別回収時に縦スコアを破断しやすくすることである。【解決手段】スカート２の内周面に設けられ、容器口部の環状凹部に嵌合する環状凸部９と、前記スカート２に設けられた縦スコア２０と、前記縦スコア２０に連続して切り裂かれる円周方向スコア１０と、を備えた中栓において；前記縦スコア２０が、打栓時に破断するのを防止するための補強連結部２２を備えている。【選択図】　図２
2004059082.tif 000002
【特許請求の範囲】
【請求項１】
スカートの内周面に設けられ、容器口部の環状凹部に嵌合する環状凸部と、前記スカートに設けられた縦スコアと、を備えた中栓において；
前記縦スコアが、打栓時に破断するのを防止するための補強連結部を備えていることを特徴とする中栓。
【請求項２】
補強連結部が、その始端から終端に向かって次第に肉厚になってることを特徴とする請求項１記載の中栓。
【請求項３】
補強連結部の始端が、縦スコアの前縁の外側に位置していること特徴とする請求項２記載の中栓。
【請求項４】
縦スコアの近傍に、タブが設けられていることを特徴とする請求項１記載の中栓。
【請求項５】
縦スコアの近傍に、上蓋と連続するヒンジが設けられていることを特徴とする請求項１記載の中栓。
【発明の詳細な説明】
【０００１】
【発明の属する技術分野】
この発明は、容器口部に打栓装着される中栓に関するものであり、更に述べると、分別回収可能な中栓に関するものである。
【０００２】
【従来の技術】
容器口部に装着された中栓は、分別回収の際、タブを摘んで円周方向に引っ張ると、スカートに形成した縦スコアが破断し、更に同方向に引っ張ると、円周方向スコアが破断する。この状態で、タブを上方に引き上げると、中栓は容易に容器口部から外れる。
【０００３】
【発明が解決しようとする課題】
前記中栓は、容器口部に打栓装着されるが、この打栓装着時には環状凸部が容器口部の抵抗を受けるので、スカートが外方に押し広げられる。そのため、縦スコアに大きな拡径力が働き、破断することがある。
そこで、縦スコアの溝の深さを浅くし、縦スコアの肉厚を厚くすることが考えられる。しかし、このように縦スコアを肉厚にすると、分別回収の際、破断しにくいので、縦スコアとしての役割を果たせなくなる。
【０００４】
この発明は、上記事情に鑑み、打栓時における縦スコアの破断を防止することを目的とする。他の目的は、分別回収時に縦スコアを破断しやすくすることである。
【０００５】
【課題を解決するための手段】
この発明は、スカートの内周面に設けられ、容器口部の環状凹部に嵌合する環状凸部と、前記スカートに設けられた縦スコアと、を備えた中栓において；前記縦スコアが、打栓時に破断するのを防止するための補強連結部を備えていることを特徴とする。
【０００６】
この発明の補強連結部は、その始端から終端に向かって次第に肉厚になっていることを特徴とする。この発明の補強連結部の始端は、縦スコアの前縁の外側に位置していること特徴とする。この発明の縦スコアの近傍には、タブ、又は、上蓋と連続するヒンジ、が設けられていることを特徴とする。
【０００７】
【発明の実施の形態】
この発明は、打栓装着時に縦スコアにかかる拡径力を緩和するために、補強連結部を設けたものである。この補強連結部は、分別回収時に裂き切りやすくするため、始端から終端に向かって次第に肉厚に形成されている。なお、この補強連結部は、打栓時に縦スコアの破断を防止でき、又、分別回収時には破断しやすいものであれば良いので、その形状等は、必要に応じて適宜選択することができる。
【０００８】
【実施例】
この発明の実施例を図１〜図４により説明する。
中栓１は、合成樹脂により形成され、スカート２と、該スカート２にねじ部４を介して連続する注出筒５と、該注出筒５の遮断壁６に立設されたプルリング７と、を備えている。
【０００９】
スカート２のに内周面には、環状凸部９と円周方向スコア１０とが設けられている。この環状凸部９は、図示しない容器口部の環状凹部に嵌着される。
このスカート２の外周面には、段部１１が設けられている。前記環状凸部９は、この段部１１より下方に位置し、又、円周方向スコア１０は、前記段部１１と面一に位置している。
【００１０】
前記段部１１には、タブ１５と、縦スコア２０とが設けられている。タブ１５は、下段部１１ａに設けられ、該下段部１１ａの外周円と同一円周上に位置している。このタブ１５の内周面１５ａ及び先端部１５ｂは、スカート２から離間しており、又、前記内周面１５ａは、連結部１６を介してスカート２に固定されている。
【００１１】
縦スコア２０は、スカート２の内側に、縦方向に形成された薄肉部であり、例えば、断面Ｖ字状に形成されている。
【００１２】
縦スコア２０は、補強連結部２２により固定されている。この補強連結部２２は、合成樹脂により中栓１と一体に形成され、その始端２２ａは縦スコア２０の前縁２０ａ側のタブ１５内側上に位置し、その終端２２ｂは縦スコア２０の後縁２０ｂ側上に位置している。
【００１３】
この補強連結部２２は、始端２２ａから終端２２ｂに向かって次第に肉厚になっており、例えば、始端２２ａの肉厚ｔ１は０．２ｍｍ、終端２２ｂの肉厚ｔ２は０．８ｍｍであり、該始端２２ａの肉厚ｔ１は、終端２２ｂの肉厚ｔ２の１／４となっている。
前記縦スコア２０及び該縦スコア２０近傍の縦断面拡大図を図２〜図４に示す。
図２は、図１のＡーＡ線断面図、図３は、図１のＣーＣ線断面図、図４は、図１のＤーＤ線断面図、である。
【００１４】
なお、図において、２５はスカート２と対向するインナリング　、２６は遮断壁６に設けた切裂溝、をそれぞれ示す。
【００１５】
次に、本実施例の作動について説明する。
中栓１に図示しない上蓋を螺着した後、該中栓１を図示しない打栓装置を用いて、内容物の充填されている容器の口部に打栓装着する。
【００１６】
この時、環状凸部９は、容器の口部の抵抗を受けながら環状凹部に嵌着されるので、スカート２には外方向の力（拡径力）が働く。そのため、縦スコア２０に切り裂き力が働こうとするが、この縦スコア２０には、補強連結部２２が設けられているため、その力は緩和されるので、破断することはない。
【００１７】
容器内の内容物を使い尽くし、分別回収する際には、タブ１５を指で摘んで円周方向に引っ張る。そうすると、連結部１６が切れ、縦スコア２０に引っ張り力が加わるので、破断する。
【００１８】
この時、補強連結部２２は、始端２２ａから終端２２ｂに向かって次第に肉厚に形成されているので、終端２２ｂ側になるほど裂きにくくなる。
即ち、始端２２ａ側が、終端２２ｂ側より裂き切れやすくなっているので、縦スコア２０を容易に破断することができる。
【００１９】
縦スコア２０を破断した後、タブ１５を更に同方向に引っ張ると、円周方向スコア１０が破断し、環状凹部と環状凸部９との嵌合力は大幅に小さくなり、外れやすい状態となる。そのため、タブ１５を上方に引っ張ると、中栓１は、容易に容器口部から外れる。
【００２０】
この発明は、前記スクリュー式キャップの中栓のみならず、ヒンジ式キャップ、即ち、スカートに縦スコアを設け、該縦スコアの近傍に、上蓋と連続するヒンジを設けたキャップ、の中栓、にも利用できることは勿論である。
又、補強連結部は、打栓時に縦スコアの破断を防止でき、又、分別回収時には破断しやすいものであれば良いので、その形状等は、必要に応じて適宜選択することができる。
【００２１】
【発明の効果】
この発明は、縦スコアが、打栓時に破断するのを防止するための補強連結部を備えているので、打栓装着時における縦スコアの破断を防止することが出来る。又、前記補強連結部は、その始端から終端に向かって次第に肉厚になっているので、分別回収時には、容易に縦スコアを破断することが出来る。
【図面の簡単な説明】
【図１】本発明の第１実施例を示す平面図である。
【図２】左半分は正面図の一部を示し、右半分は図１のＡ−Ａ線断面図である。
【図３】図１のＣ−Ｃ線断面図である。
【図４】図１のＤ−Ｄ線断面図である。
【符号の説明】
１　　中栓
２　　スカート
１５　タブ
２０　縦スコア
２２　補強連結部
【図１】
2004059082.tif 000003
【図２】
2004059082.tif 000004
【図３】
2004059082.tif 000005
【図４】
2004059082.tif 000006